(57)【要約】      （修正有）【課題】ユーザが、端末と接続された機器を認識し易くする。【解決手段】情報処理システムは、端末と、情報処理装置とを有する。端末は、第１識別子によって特定される機器と無線通信によって接続する。情報処理装置は、第１識別子に対応する上記機器の第２識別子を特定し、第２識別子を端末へ送信する。端末は、更に、受信した第２識別子を表示する。【選択図】図１６
2018063634.tif 000002
【特許請求の範囲】
【請求項１】
端末と、情報処理装置とを有し、
前記端末は、
第１識別子によって特定される機器と無線通信によって接続する接続処理部
を有し、
前記情報処理装置は、
前記第１識別子に対応する前記機器の第２識別子を特定する特定部と、
前記第２識別子を前記端末へ送信する第１送信部と
を有し、
前記端末は、更に、
受信した前記第２識別子を表示する表示処理部
を有する情報処理システム。
【請求項２】
前記第１送信部は、機器の第１識別子を前記端末へ送信し、
前記接続処理部は、受信した前記第１識別子を用いる
請求項１記載の情報処理システム。
【請求項３】
前記端末は、更に、
前記端末自身に近接する機器を検出する検出部と、
複数の機器を検出した場合に、当該複数の機器の第１識別子を前記情報処理装置へ送信する第２送信部と
を有し、
前記情報処理装置は、更に、
受信した前記複数の機器の前記第１識別子のうち、前記端末が接続すべき機器の第１識別子を選択する選択部
を有し、
前記第１送信部は、選択された前記第１識別子を前記機器の第１識別子として送信する
請求項２記載の情報処理システム。
【請求項４】
前記選択部は、他の端末と接続していない機器の第１識別子を選択する
請求項３記載の情報処理システム。
【請求項５】
前記端末は、更に、
接続した前記機器の前記第１識別子を前記情報処理装置へ送信する第２送信部
を有し、
前記特定部は、受信した前記第１識別子を用いる
請求項１又は２記載の情報処理システム。
【請求項６】
前記端末は、更に、
前記端末自身に近接する機器を検出する検出部と、
検出された前記機器の第１識別子を前記情報処理装置へ送信する第２送信部と
を有し、
前記情報処理装置は、更に、
受信した前記第１識別子が未知である場合に、検出された前記機器に割り当てられた第２識別子を前記第１識別子と対応付けて機器管理データに登録する登録部
を有する請求項１又は２記載の情報処理システム。
【請求項７】
前記端末は、更に、
検出された前記機器に、ユーザによる個体認識を促すための出力動作を指示する指示部
を有する請求項６記載の情報処理システム。
【請求項８】
前記第２識別子は、運用のための識別子である
請求項１乃至７のいずれか１つ記載の情報処理システム。
【請求項９】
端末が接続する機器の第１識別子に対応する当該機器の第２識別子を特定する特定部と、
前記第２識別子を前記端末へ送信する送信部と
を有する情報処理装置。
【請求項１０】
端末が接続する機器の第１識別子に対応する当該機器の第２識別子を特定し、
前記第２識別子を前記端末へ送信する
処理を含み、コンピュータにより実行される情報処理方法。
【請求項１１】
端末が接続する機器の第１識別子に対応する当該機器の第２識別子を特定し、
前記第２識別子を前記端末へ送信する
処理をコンピュータに実行させる情報処理プログラム。
【請求項１２】
第１識別子によって特定される機器と無線通信によって接続する接続処理部と、
前記第１識別子に対応する前記機器の第２識別子を受信する受信部と、
受信した前記機器の第２識別子を表示する表示処理部と
を有する端末。
【請求項１３】
第１識別子によって特定される機器と無線通信によって接続し、
前記第１識別子に対応する前記機器の第２識別子を受信し、
受信した前記機器の第２識別子を表示する
処理を含み、コンピュータにより実行される情報処理方法。
【請求項１４】
第１識別子によって特定される機器と無線通信によって接続し、
前記第１識別子に対応する前記機器の第２識別子を受信し、
受信した前記機器の第２識別子を表示する
処理をコンピュータに実行させる情報処理プログラム。
【発明の詳細な説明】
【技術分野】
【０００１】
本発明は、無線通信による機器接続の技術に関する。
【背景技術】
【０００２】
ＩｏＴ（Internet of Things）の分野において、例えばポータブルデバイスや家電製品のような機器を近距離無線通信によってユーザ端末に接続させ、ユーザ端末が機器を操作することがある。
【０００３】
仮にユーザ端末の近くに複数の機器が存在すれば、ユーザ端末は複数の機器を検出する。このような場合に、ユーザ端末が一方の機器に接続したにも関らず、他方の機器に接続したものとユーザが誤認することがある。
【先行技術文献】
【特許文献】
【０００４】
【特許文献１】特開２００９−２０９０３号公報
【特許文献２】特開２００７−２５８４６号公報
【特許文献３】特開２００２−１６６１９号公報
【特許文献４】特開２００４−１２０２４１号公報
【発明の概要】
【発明が解決しようとする課題】
【０００５】
本発明の目的は、一側面では、ユーザが、端末と接続された機器を認識し易くすることである。
【課題を解決するための手段】
【０００６】
一態様の情報処理システムは、端末と、情報処理装置とを有する。端末は、（Ａ）第１識別子によって特定される機器と無線通信によって接続する接続処理部を有する。情報処理装置は、（Ｂ）第１識別子に対応する上記機器の第２識別子を特定する特定部と、（Ｃ）第２識別子を端末へ送信する第１送信部とを有する。端末は、更に、（Ｄ）受信した第２識別子を表示する表示処理部を有する。
【発明の効果】
【０００７】
一側面において、ユーザは、端末と接続された機器を認識し易くなる。
【図面の簡単な説明】
【０００８】
【図１】図１は、ネットワーク構成例を示す図である。
【図２】図２は、ネットワーク構成例を示す図である。
【図３】図３は、電子体温計のハードウエア構成例を示す図である。
【図４】図４は、タブレット端末のハードウエア構成例を示す図である。
【図５】図５は、タブレット端末のモジュール構成例を示す図である。
【図６】図６は、サーバのモジュール構成例を示す図である。
【図７】図７は、テーブルの例を示す図である。
【図８】図８は、登録フェーズにおけるシーケンスの例を示す図である。
【図９】図９は、第１画面の例を示す図である。
【図１０】図１０は、登録フェーズにおけるシーケンスの例を示す図である。
【図１１】図１１は、第２画面の例を示す図である。
【図１２】図１２は、登録フェーズにおけるシーケンスの例を示す図である。
【図１３】図１３は、第３画面の例を示す図である。
【図１４】図１４は、使用フェーズにおけるシーケンスの例を示す図である。
【図１５】図１５は、第４画面の例を示す図である。
【図１６】図１６は、使用フェーズにおけるシーケンスの例を示す図である。
【図１７】図１７は、第５画面の例を示す図である。
【図１８】図１８は、使用フェーズにおけるシーケンスの例を示す図である。
【図１９】図１９は、使用フェーズにおけるシーケンスの例を示す図である。
【図２０】図２０は、実施の形態２の登録フェーズにおけるシーケンスの例を示す図である。
【図２１】図２１は、第６画面の例を示す図である。
【図２２】図２２は、第７画面の例を示す図である。
【図２３】図２３は、実施の形態３の使用フェーズにおけるシーケンスの例を示す図である。
【図２４】図２４は、コンピュータの機能ブロック図である。
【発明を実施するための形態】
【０００９】
［実施の形態１］
図１に、ネットワーク構成例を示す。この例は、医療機関における検温システムを想定している。ユーザである看護婦は、タブレット端末１０１を使用する。タブレット端末１０１は、電子体温計１０３と近距離無線通信（例えば、ＢＬＥ（Bluetooth（登録商標） Low Energy）通信方式）を行う。電子体温計１０３で計測された体温のデータが、タブレット端末１０１に渡される。電子体温計１０３は、個体を識別するための固有ＩＤを保持している。
【００１０】
タブレット端末１０１は、無線ＬＡＮ（Local Area Network）を介してサーバ１０５に接続する。サーバ１０５は、電子体温計１０３を管理する。具体的には、サーバ１０５は、電子体温計１０３を運用上識別するための運用ＩＤを当該電子体温計１０３に割り当てる。プリンタ１０７は、サーバ１０５又はタブレット端末１０１の指示に従って、ラベルに運用ＩＤを印刷する。
【００１１】
図２に示すように、サーバ１０５が、クラウドサービスとして提供されるようにしてもよい。その場合には、タブレット端末１０１は、無線ＬＡＮ及びインターネットを介して、サーバ１０５に接続する。或いは、タブレット端末１０１は、移動体通信網及びインターネットを介して、サーバ１０５に接続するようにしてもよい。
【００１２】
図３に、電子体温計１０３のハードウエア構成例を示す。電子体温計１０３は、プロセッサ３０１、メモリ３０３、表示装置３０５、ボタン３０７、無線通信制御回路３０９、無線通信用アンテナ３１１、温度センサ３１３及びＬＥＤ（Light Emitting Diode）３１５を有する。
【００１３】
プロセッサ３０１は、メモリ３０３に記憶されているプログラムを実行する。メモリ３０３は、プログラム及びデータを記憶している。表示装置３０５は、数字やマークを表示する。ボタン３０７は、ユーザの指示を受け付ける。無線通信用アンテナ３１１は、近距離通信方式（例えば、ＢＬＥ通信方式）による無線電波を送受信する。無線通信制御回路３０９は、当該方式における使用周波数に応じて無線通信の制御を行う。無線通信制御回路３０９及び無線通信用アンテナ３１１によって、例えばビーコン信号が送出される。ビーコン信号の送出は、アドバタイズという場合もある。温度センサ３１３は、体温を計測するために用いられる。
【００１４】
電子体温計１０３は、無線通信によってユーザ端末と接続される機器の例である。無線通信によってユーザ端末と接続される機器は、温度センサ３１３以外のセンサを有するポータブルデバイスであってもよい。また、同じくユーザ端末と接続される機器は、センサを有していないポータブルデバイスであってもよい。同じくユーザ端末と接続される機器は、例えば家具、家電製品やオーディオ装置のような設置型の装置であってもよい。同じくユーザ端末と接続される機器は、自転車や自動車のような乗り物であってもよい。
【００１５】
図４に、タブレット端末１０１のハードウエア構成例を示す。タブレット端末１０１は、ＣＰＵ（Central Processing Unit）４０１、記憶回路４０３、第１無線通信用アンテナ４１１、第１無線通信制御回路４１３、第２無線通信用アンテナ４１５、第２無線通信制御回路４１７、ＬＣＤ（Liquid Crystal Display）制御回路４２３、ＬＣＤ４２５、タッチセンサ４２７、キー群４２９、ＧＰＳ（Global Positioning System）装置４３１及びタイマー回路４３３を有する。
【００１６】
ＣＰＵ４０１は、記憶回路４０３に記憶されているプログラムを実行する。記憶回路４０３は、例えば、ＲＯＭ（Read Only Memory）４０５とＲＡＭ（Random Access Memory）４０７とフラッシュメモリ４０９とを有している。ＲＯＭ４０５は、例えば基礎的なプログラムや初期データを格納している。ＲＡＭ４０７は、プログラムを展開する領域を含んでいる。ＲＡＭ４０７は、一時的なデータを格納する領域も含んでいる。フラッシュメモリ４０９は、例えば、アプリケーションなどのプログラムやユーザデータを格納している。
【００１７】
ＬＣＤ制御回路４２３は、所定の動作周波数でクロック回路を動作させ、ＬＣＤ４２５を駆動させる。ＬＣＤ４２５は、各種画面を表示する。タッチセンサ４２７は、例えば、ＬＣＤ４２５の表示面上に配置されたパネル状のセンサであり、タッチ操作による指示を受け付ける。具体的には、ＬＣＤ４２５とタッチセンサ４２７とを一体としたタッチパネルとして用いられる。キー群４２９の各ハードキーは、筐体の一部に設けられている。
【００１８】
第１無線通信用アンテナ４１１は、例えば、セルラー方式又は無線ＬＡＮ方式による無線電波を送受信する。第１無線通信制御回路４１３は、当該方式における使用周波数に応じて無線通信の制御を行う。第２無線通信用アンテナ４１５は、電子体温計１０３と共通の近距離通信方式（例えば、ＢＬＥ通信方式）による無線電波を送受信する。第２無線通信制御回路４１７は、当該方式における使用周波数に応じて無線通信の制御を行う。
【００１９】
ＧＰＳ装置４３１は、自らの地理的位置を計測する。タイマー回路４３３は、時間を計測する。
【００２０】
図５に、タブレット端末１０１のモジュール構成例を示す。タブレット端末１０１は、第１受信部５０１、第１送信部５０３、第２受信部５０５、第２送信部５０７、表示処理部５０９、検出部５１１、接続処理部５１３、判定部５１５、指示部５１７及び受付部５１９を有する。
【００２１】
第１受信部５０１は、電子体温計１０３から各種データを受信する。第１送信部５０３は、電子体温計１０３へ各種データを送信する。第２受信部５０５は、サーバ１０５から各種データを受信する。第２送信部５０７は、サーバ１０５へ各種データを送信する。表示処理部５０９は、画面を表示する処理を行う。検出部５１１は、接近した電子体温計１０３を検出する。接続処理部５１３は、電子体温計１０３とのコネクションを確立させる処理と同じくコネクションを解消させる処理を行う。判定部５１５は、新たなビーコン信号を受信したか否かを判定する。指示部５１７は、電子体温計１０３にＬＥＤ３１５の点灯及び消灯を指示する。受付部５１９は、ユーザによる指示操作を受け付ける。
【００２２】
上述した第１受信部５０１、第１送信部５０３、第２受信部５０５、第２送信部５０７、表示処理部５０９、検出部５１１、接続処理部５１３、判定部５１５、指示部５１７及び受付部５１９は、ハードウエア資源（例えば、図４）と、以下で述べる処理をプロセッサに実行させるプログラムとを用いて実現される。
【００２３】
図６に、サーバ１０５のモジュール構成例を示す。サーバ１０５は、受信部６０１、送信部６０３、判定部６０５、割り当て部６０７、登録部６０９、指示部６１１、特定部６１３、選択部６１５、更新部６１７及びテーブル記憶部６１９を有する。
【００２４】
受信部６０１は、タブレット端末１０１から各種データを受信する。送信部６０３は、タブレット端末１０１へ各種データを送信する。判定部６０５は、登録対象の電子体温計１０３が未知であるか否か、つまり未登録であるか否かを判定する。割り当て部６０７は、登録対象の電子体温計１０３に新たな運用ＩＤを割り当てる。登録部６０９は、電子体温計１０３に関する情報をテーブルに登録する。指示部６１１は、プリンタ１０７に運用ＩＤの印刷を指示する。特定部６１３は、固有ＩＤに対応する運用ＩＤを特定する。選択部６１５は、タブレット端末１０１において検出された電子体温計１０３のうち、いずれのタブレット端末１０１にも接続してない電子体温計１０３を選択する。更新部６１７は、テーブルを更新する。テーブル記憶部６１９は、テーブルを記憶する。テーブルについては、図７を用いて後述する。
【００２５】
上述した受信部６０１、送信部６０３、判定部６０５、割り当て部６０７、登録部６０９、指示部６１１、特定部６１３、選択部６１５及び更新部６１７は、ハードウエア資源（例えば、図２４）と、以下で述べる処理をプロセッサに実行させるプログラムとを用いて実現される。
【００２６】
上述したテーブル記憶部６１９は、ハードウエア資源（例えば、図２４）を用いて実現される。
【００２７】
図７に、テーブルの例を示す。テーブルは、電子体温計１０３を管理するデータの例である。この例におけるテーブルは、登録された電子体温計１０３に対応するレコードを有している。レコードは、レコード番号が設定されるフィールドと、固有ＩＤが格納されるフィールドと、運用ＩＤが格納されるフィールドと、端末ＩＤが格納されるフィールドとを有している。
【００２８】
レコード番号は、レコードの順番を特定する。固有ＩＤは、登録された電子体温計１０３が保持している識別子である。固有ＩＤは、例えば登録された電子体温計１０３の製造番号である。運用ＩＤは、ユーザにおける運用の便宜のために、登録された電子体温計１０３に割り当てられた識別子である。運用ＩＤは、例えば文字、文字列又は記号であってもよい。端末ＩＤは、登録された電子体温計１０３が接続しているタブレット端末１０１を特定する。但し、登録された電子体温計１０３がいずれのタブレット端末１０１とも接続していない場合には、「非接続」が設定される。
【００２９】
例えば、図示した１番目のレコードは、固有ＩＤ「Ａ０１２３」の電子体温計１０３に運用ＩＤ「１」が割り当てられ、現時点において当該電子体温計１０３がＩＤ「Ｔ０３」のタブレット端末１０１と接続していることを示している。
【００３０】
同じく、図示した２番目のレコードは、固有ＩＤ「Ａ０１２５」の電子体温計１０３に運用ＩＤ「２」が割り当てられ、現時点において当該電子体温計１０３がタブレット端末１０１と接続していないことを示している。
【００３１】
尚、図示した４番目のレコードは、使用されていない。仮にこの状態で、新たな電子体温計１０３に対応するレコードを設ける場合には、４番目のレコードが用いられる。
【００３２】
以下、新たな電子体温計１０３を登録するためのフェーズ（以下、登録フェーズという。）と登録された電子体温計１０３を使用するためのフェーズ（以下、使用フェーズという。）とに分けて、各フェーズのシーケンスに沿ってタブレット端末１０１、電子体温計１０３及びサーバ１０５の動作について説明する。
【００３３】
まず、登録フェーズについて説明する。図８に、登録フェーズにおけるシーケンスの例を示す。登録フェーズにおいて、まずタブレット端末１０１の表示処理部５０９は、第１画面を表示する（Ｓ８０１）。
【００３４】
図９に、第１画面の例を示す。第１画面は、ユーザに、登録しようとする電子体温計１０３をタブレット端末１０１に接続させるように促す内容を表す。第１画面には、例えば「新たな電子体温計と接続してください。」というメッセージが表示される。後述するＳ８０９の処理によってタブレット端末１０１と電子体温計１０３との間でコネクションが確立した時点で、第１画面が消されるようにしてもよい。
【００３５】
図８の説明に戻る。タブレット端末１０１の第１受信部５０１が、電子体温計１０３から送出されたビーコン信号を受信する（Ｓ８０３、Ｓ８０５）。タブレット端末１０１の検出部５１１は、ビーコン信号に含まれる固有ＩＤを抽出することによって、電子体温計１０３を検出する（Ｓ８０７）。
【００３６】
そして、タブレット端末１０１の接続処理部５１３は、タブレット端末１０１の第１受信部５０１及び第１送信部５０３を介して、ビーコン信号の送出元である電子体温計１０３とのコネクションを確立させるための処理を行う（Ｓ８０９）。
【００３７】
尚、電子体温計１０３とのコネクションの確立が失敗した場合には、再びＳ８０５の場合と同様にビーコン信号を受信する処理に戻る。
【００３８】
一方、電子体温計１０３とのコネクションが確立すると、タブレット端末１０１の第２送信部５０７は、当該電子体温計１０３の登録を要求する通知（以下、要求通知という。）をサーバ１０５へ送信する（Ｓ８１１）。要求通知は、登録対象の電子体温計１０３の固有ＩＤを含む。
【００３９】
サーバ１０５の受信部６０１が要求通知を受信すると（Ｓ８１３）、サーバ１０５の判定部６０５は、判定処理を実行する（Ｓ８１５）。判定処理において、サーバ１０５の判定部６０５は、要求通知に含まれる固有ＩＤがテーブルに未登録であるか否かを判定する。サーバ１０５の判定部６０５は、要求通知に含まれる固有ＩＤがテーブルのいずれのレコードに格納されている固有ＩＤとも一致しない場合に、固有ＩＤが未登録であると判定する。一方、サーバ１０５の判定部６０５は、要求通知に含まれる固有ＩＤがテーブルのいずれかのレコードに格納されている固有ＩＤと一致する場合には、固有ＩＤが登録済みであると判定する。
【００４０】
図８のシーケンスの続きを図１０に示す。サーバ１０５の判定部６０５によって固有ＩＤが未登録であると判定された場合には（Ｓ１００１）、サーバ１０５の割り当て部６０７は、固有ＩＤに新たな運用ＩＤを割り当てる（Ｓ１００３）。そして、サーバ１０５の送信部６０３は、割り当てた運用ＩＤを含む成功通知をタブレット端末１０１へ送信する（Ｓ１００５）。成功通知は、登録が成功したことを伝える。
【００４１】
この例では、運用ＩＤは、昇順に決定される番号である。但し、ユーザが運用ＩＤを指定するようにしてもよい。例えば、タブレット端末１０１の受付部５１９が、運用ＩＤとして用いる数字、文字又は文字列を受け付け、タブレット端末１０１の第２送信部５０７が、当該数字、文字又は文字列をサーバ１０５へ送信するようにしてもよい。サーバ１０５の受信部６０１が当該数字、文字又は文字列を受信し、サーバ１０５の割り当て部６０７は、受信した当該数字、文字又は文字列を運用ＩＤとして用いるようにしてもよい。
【００４２】
タブレット端末１０１の第２受信部５０５が成功通知を受信すると（Ｓ１００７）、タブレット端末１０１の表示処理部５０９は、第２画面を表示する（Ｓ１００９）。
【００４３】
図１１に、第２画面の例を示す。第２画面は、電子体温計１０３が登録された旨と、成功通知に含まれる運用ＩＤとを表す。第２画面には、例えば「新たな電子体温計を登録しました。運用ＩＤは、『４』です。」というメッセージが表示される。表示開始時点から所定時間経過した時点で、第２画面が消されるようにしてもよい。
【００４４】
図１０の説明に戻る。その後、タブレット端末１０１の接続処理部５１３は、電子体温計１０３とのコネクションを解消させるための処理を実行する（Ｓ１０１１）。
【００４５】
一方、サーバ１０５の登録部６０９は、固有ＩＤ及び運用ＩＤをテーブルに登録する（Ｓ１０１３）。具体的には、テーブルの新たなレコードに、固有ＩＤ及び運用ＩＤが格納される。また、サーバ１０５の登録部６０９は、当該レコードの端末ＩＤのフィールドに「非接続」を設定する（Ｓ１０１５）。
【００４６】
そして、サーバ１０５の指示部６１１は、プリンタ１０７に運用ＩＤの印刷を指示する（Ｓ１０１７）。この指示に従って、プリンタ１０７は、ラベルに運用ＩＤを印刷する。尚、タブレット端末１０１が、プリンタ１０７に運用ＩＤの印刷を指示するようにしてもよい。ラベルは、例えば電子体温計１０３に貼り付けられ、外観によって電子体温計１０３を判別するために用いられる。また、印刷を指示する処理は、省いてもよい。
【００４７】
図８に示した判定処理において、固有ＩＤが登録済であると判定された場合のシーケンスを、図１２に示す。固有ＩＤが登録済であると判定した場合には（Ｓ１２０１）、サーバ１０５の特定部６１３は、テーブルにおいて固有ＩＤに対応付けられている運用ＩＤを特定する（Ｓ１２０３）。サーバ１０５の送信部６０３は、運用ＩＤを含む失敗通知をタブレット端末１０１へ送信する（Ｓ１２０５）。失敗通知は、登録が失敗したことを伝える。
【００４８】
タブレット端末１０１の第２受信部５０５が失敗通知を受信すると（Ｓ１２０７）。タブレット端末１０１の表示処理部５０９は、第３画面を表示する（Ｓ１２０９）。
【００４９】
図１３に、第３画面の例を示す。第３画面は、検出された電子体温計１０３が既に登録されている旨と、失敗通知に含まれる運用ＩＤとを表す。第３画面には、例えば「既に登録されている電子体温計です。運用ＩＤは、『１』です。」というメッセージが表示される。表示開始時点から所定時間経過した時点で、第３画面が消されるようにしてもよい。
【００５０】
図１２の説明に戻る。第３画面を表示した後、タブレット端末１０１の接続処理部５１３は、電子体温計１０３とのコネクションを解消させるための処理を実行する（Ｓ１２１１）。尚、第３画面の表示処理を省くようにしてもよい。以上で、登録フェーズの説明を終える。
【００５１】
続いて、使用フェーズについて説明する。図１４に、使用フェーズにおけるシーケンスの例を示す。使用フェーズにおいて、まずタブレット端末１０１の表示処理部５０９は、第４画面を表示する（Ｓ１４０１）。
【００５２】
図１５に、第４画面の例を示す。第４画面は、ユーザに、使用したい電子体温計１０３をタブレット端末１０１に接続させるように促す内容を表す。第４画面には、例えば「使用する電子体温計と接続してください。」というメッセージが表示される。所定時間内にビーコン信号を受信しなかったと判定した時点で、第４画面が消されるようにしてもよい。
【００５３】
図１４の説明に戻る。最初に、電子体温計１０３ａがタブレット端末１０１に接近したものと想定する。電子体温計１０３ａは、自らの固有ＩＤを含むビーコン信号を送出している（Ｓ１４０３）。
【００５４】
タブレット端末１０１の第１受信部５０１が、Ｓ１４０１の処理から所定時間が経過する前に、電子体温計１０３ａから送出されたビーコン信号を受信する（Ｓ１４０５）。タブレット端末１０１の検出部５１１は、新たなビーコン信号に含まれる固有ＩＤを抽出することによって、電子体温計１０３ａを検出する（Ｓ１４０７）。尚、同じビーコン信号を繰り返し受信した場合には、２回目以降に受信したビーコン信号に対して処理を行わない。
【００５５】
続いて、電子体温計１０３ｂがタブレット端末１０１に接近したものと想定する。電子体温計１０３ｂは、自らの固有ＩＤを含むビーコン信号を送出している（Ｓ１４０９）。
【００５６】
タブレット端末１０１の第１受信部５０１は、Ｓ１４０５の処理から所定時間が経過する前に、電子体温計１０３ｂから送出されたビーコン信号を受信する（Ｓ１４１１）。タブレット端末１０１の検出部５１１は、新たなビーコン信号に含まれる固有ＩＤを抽出することによって、電子体温計１０３ｂを検出する（Ｓ１４１３）。
【００５７】
その後、別の電子体温計１０３がタブレット端末１０１に接近しなかったものと想定する。タブレット端末１０１の判定部５１５は、Ｓ１４１１の処理から所定時間が経過するまでに、新たなビーコン信号を受信しなかったと判定する（Ｓ１４１５）。
【００５８】
新たなビーコン信号を受信しなかった場合には、タブレット端末１０１の第２送信部５０７は、検出した電子体温計１０３ａ及び電子体温計１０３ｂに関する通知（以下、検出通知という。）をサーバ１０５へ送信する（Ｓ１４１７）。この例における検出通知は、Ｓ１４０７及びＳ１４１３において抽出された固有ＩＤを含む。
【００５９】
サーバ１０５の受信部６０１が検出通知を受信すると（Ｓ１４１９）、サーバ１０５の選択部６１５は、選択処理を実行する（Ｓ１４２１）。選択処理において、サーバ１０５の選択部６１５は、検出された電子体温計１０３ａ及び電子体温計１０３ｂのうち、いずれのタブレット端末１０１にも接続していない電子体温計１０３ｂを選択する。具体的には、サーバ１０５の選択部６１５は、検出通知に含まれる固有ＩＤのうち、テーブルにおいて「非接続」に対応付けられているものを選択する。例えば、検出通知に固有ＩＤ「Ａ０１２３」と「Ａ０１２５」とが含まれている場合には、図７に示したテーブルに基づいて、固有ＩＤ「Ａ０１２５」が選択される。
【００６０】
図１４のシーケンスの続きを、図１６に示す。サーバ１０５の送信部６０３は、選択した電子体温計１０３ｂに関する通知（以下、選択通知という。）をタブレット端末１０１へ送信する（Ｓ１６０１）。選択通知は、サーバ１０５の選択部６１５によって選択された電子体温計１０３ｂの固有ＩＤを含む。
【００６１】
タブレット端末１０１の第２受信部５０５は、選択通知を受信する（Ｓ１６０３）。タブレット端末１０１の接続処理部５１３は、受信した選択通知から固有ＩＤを抽出し（Ｓ１６０５）、当該固有ＩＤで特定される電子体温計１０３ｂとのコネクションを確立させるための処理を行う（Ｓ１６０７）。
【００６２】
そして、コネクションが確立すると、タブレット端末１０１の第２送信部５０７は、コネクション確立が完了した旨の通知（以下、完了通知という。）をサーバ１０５へ送信する（Ｓ１６０９）。完了通知は、コネクションの相手である電子体温計１０３ｂの固有ＩＤ及びタブレット端末１０１自身のＩＤを含む。
【００６３】
サーバ１０５の受信部６０１が完了通知を受信すると（Ｓ１６１１）、サーバ１０５の更新部６１７は、完了通知に含まれる固有ＩＤが格納されているレコードを特定する。そして、サーバ１０５の更新部６１７は、当該レコードに、完了通知に含まれる端末ＩＤを格納する（Ｓ１６１３）。また、サーバ１０５の特定部６１３は、完了通知に含まれる固有ＩＤに対応する運用ＩＤを特定する（Ｓ１６１５）。具体的には、サーバ１０５の特定部６１３は、当該レコードに格納されている運用ＩＤを読む。尚、サーバ１０５の受信部６０１が所定時間内に完了通知を受信しなかった場合には、電子体温計１０３が故障していると判定するようにしてもよい。
【００６４】
サーバ１０５の送信部６０３は、タブレット端末１０１におけるコネクションの相手である電子体温計１０３ｂに割り当てられている運用ＩＤの通知（以下、運用通知という。）をタブレット端末１０１へ送信する（Ｓ１６１７）。運用通知は、Ｓ１６１５において特定された運用ＩＤを含む。
【００６５】
タブレット端末１０１の第２受信部５０５が運用通知を受信すると（Ｓ１６１９）、タブレット端末１０１の表示処理部５０９は、第５画面を表示する（Ｓ１６２１）。
【００６６】
図１７に、第５画面の例を示す。第５画面は、電子体温計１０３ｂと接続した旨と、運用通知に含まれる運用ＩＤとを表す。第５画面には、例えば「運用ＩＤ『２』の電子体温計と接続しました。」というメッセージが表示される。表示開始時点から所定時間経過した時点で、第５画面が消されるようにしてもよい。また、メッセージに代えて、運用ＩＤを含むアイコンを表示するようにしてもよい。そして、電子体温計１０３ｂが接続されている間、アイコンをそのまま表示させておくようにしてもよい。
【００６７】
図１４のＳ１４２１に示した選択処理において、タブレット端末１０１に接続していない電子体温計１０３が無いと判定した場合のシーケンスを、図１８に示す。検出通知に含まれる固有ＩＤのいずれも、テーブルにおいて「非接続」に対応付けられていない場合には、サーバ１０５の選択部６１５は、電子体温計１０３を選択しない。従って、サーバ１０５の送信部６０３は、電子体温計１０３を選択しない旨の通知（以下、非選択通知という。）をタブレット端末１０１へ送信する（Ｓ１８０１）。
【００６８】
タブレット端末１０１の第２受信部５０５が非選択通知を受信すると（Ｓ１８０３）、改めて電子体温計１０３を検出する処理に移行する。つまり、図１４に示したシーケンスに相当する処理に戻る。
【００６９】
最後に、図１９を用いて、使用フェーズにおいてコネクションが解消する場合のシーケンスについて説明する。タブレット端末１０１と電子体温計１０３とのコネクションが解消すると（Ｓ１９０１）、タブレット端末１０１の接続処理部５１３は、コネクションの解消を検出する（Ｓ１９０３）。そして、タブレット端末１０１の第２送信部５０７は、コネクションが解消した旨の通知（以下、解消通知という。）をサーバ１０５へ送信する（Ｓ１９０５）。解消通知は、解消したコネクションの相手であった電子体温計１０３の固有ＩＤを含む。
【００７０】
サーバ１０５の受信部６０１が解消通知を受信すると（Ｓ１９０７）、サーバ１０５の更新部６１７は、解消通知に含まれる固有ＩＤが格納されているレコードを特定する。そして、サーバ１０５の更新部６１７は、当該レコードの端末ＩＤのフィールドに「非接続」を設定する（Ｓ１９０９）。以上で、使用フェーズの説明を終える。
【００７１】
本実施の形態によれば、固有ＩＤに代えて運用ＩＤが示されるので、ユーザは、タブレット端末１０１と接続された電子体温計１０３を認識し易くなる。
【００７２】
また、サーバ１０５が、タブレット端末１０１に接続させる電子体温計１０３を指示できる。
【００７３】
また、選択部６１５は、他のタブレット端末１０１と接続していない電子体温計１０３を選択するので、タブレット端末１０１と電子体温計１０３との接続失敗を防げる。
【００７４】
また、新規の電子体温計１０３に関する登録操作が簡単になる。
【００７５】
［実施の形態２］
本実施の形態では、登録フェーズにおいて登録対象となった電子体温計１０３のＬＥＤ３１５を点灯させる例について説明する。
【００７６】
図２０に、実施の形態２の登録フェーズにおけるシーケンスの例を示す。実施の形態２の場合にも、図８に示したＳ８０１乃至Ｓ８０９の場合の処理と同様の処理が行われる。
【００７７】
コネクションが確立すると、タブレット端末１０１の指示部５１７は、コネクションの相手である電子体温計１０３にＬＥＤ点灯を指示する（Ｓ２００１）。具体的には、ＬＥＤ点灯の指示データが伝送される。尚、タブレット端末１０１は、電子体温計１０３から、ＬＥＤ点灯及びＬＥＤ消灯を指示するための手順に関する情報を取得するようにしてもよい。
【００７８】
電子体温計１０３がＬＥＤ点灯の指示を受信すると（Ｓ２００３）、電子体温計１０３は、ＬＥＤ３１５を点灯する（Ｓ２００５）。
【００７９】
一方、タブレット端末１０１において、表示処理部５０９は、第６画面を表示する（Ｓ２００７）。
【００８０】
図２１に、第６画面の例を示す。第６画面は、検出された電子体温計１０３のＬＥＤ３１５が点灯している旨を表す。第６画面には、例えば「検出された電子体温計のＬＥＤが点灯しています。」というメッセージが表示される。また、第６画面には、ユーザが電子体温計１０３を確認したことを判別するためのボタン（以下、確認ボタンという。）が設けられる。確認ボタンがタッチされた時点で、第６画面が消されるようにしてもよい。
【００８１】
図２０の説明に戻る。タブレット端末１０１の受付部５１９が、ユーザによる確認ボタンのタッチ操作を受け付けると（Ｓ２００９）、タブレット端末１０１の指示部５１７は、電子体温計１０３にＬＥＤ消灯を指示する（Ｓ２０１１）。具体的には、ＬＥＤ消灯の指示データが伝送される。
【００８２】
電子体温計１０３がＬＥＤ消灯の指示を受信すると（Ｓ２０１３）、電子体温計１０３は、ＬＥＤ３１５を消灯する（Ｓ２０１５）。
【００８３】
一方、タブレット端末１０１において、表示処理部５０９は、第７画面を表示する（Ｓ２０１７）。
【００８４】
図２２に、第７画面の例を示す。第７画面は、検出された電子体温計１０３の登録の確認を促す旨を表す。第７画面には、例えば「検出された電子体温計を登録しますか。」というメッセージが表示される。また、第６画面には、電子体温計１０３の登録を指示するボタン（以下、はいボタンという。）と、電子体温計１０３の登録を取り消すボタン（以下、いいえボタンという。）とが設けられる。
【００８５】
図２０の説明に戻る。タブレット端末１０１の受付部５１９が、はいボタンのタッチ操作を受け付けると（Ｓ２０１９）、図８に示したＳ８１１の場合の処理と同様の処理に移る。Ｓ８１１乃至Ｓ８１５の処理は、図８の場合と同様である。
【００８６】
尚、タブレット端末１０１の受付部５１９が、いいえボタンのタッチ操作を受け付けた場合には、タブレット端末１０１の接続処理部５１３は、電子体温計１０３とのコネクションを解消させるための処理を実行し、改めて第１画面を表示する処理に移行する。つまり、Ｓ８０１に相当する処理に戻る。
【００８７】
上述したＬＥＤ点灯の指示は、ユーザによる個体認識を促すための出力動作の指示の例である。例えば、機器が音を鳴らすように指示してもよい。或いは、機器が振動するように指示するようにしてもよい。
【００８８】
本実施の形態によれば、ユーザが、登録対象の電子体温計１０３を認識し易くなる。
【００８９】
［実施の形態３］
本実施の形態では、選択通知に運用ＩＤを含める例について説明する。
【００９０】
本実施の形態の使用フェーズにおいて、実施の形態１の場合と同様に、図１４に示したシーケンスに沿った処理が行われる。
【００９１】
本実施の形態では、図１６に示したシーケンスに代えて、図２３に示したシーケンスに沿った処理が行われる。
【００９２】
図１４のＳ１４２１に示した選択処理において、サーバ１０５の選択部６１５が、いずれかの電子体温計１０３を選択した場合には、サーバ１０５の送信部６０３は、選択通知を送信する（Ｓ２３０１）。本実施の形態における選択通知は、選択された電子体温計１０３の固有ＩＤ及び運用ＩＤを含む。タブレット端末１０１の第２受信部５０５は、この選択通知を受信する（Ｓ２３０３）。
【００９３】
Ｓ２３０５乃至Ｓ２３１１の処理は、図１６に示したＳ１６０５乃至Ｓ１６１１の場合の処理と同様である。
【００９４】
タブレット端末１０１の第２送信部５０７が完了通知を送信した後に、同じく表示処理部５０９は、第５画面を表示する（Ｓ２３１３）。このとき、タブレット端末１０１の表示処理部５０９は、選択通知に含まれる運用ＩＤをメッセージに加える。
【００９５】
Ｓ２３１５の処理は、図１６に示したＳ１６１３の処理と同様である。
【００９６】
本実施の形態によれば、通信処理の負担が軽くなる。
【００９７】
以上本発明の実施の形態を説明したが、本発明はこれに限定されるものではない。例えば、上述の機能ブロック構成はプログラムモジュール構成に一致しない場合もある。
【００９８】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【００９９】
なお、上で述べたサーバ１０５は、コンピュータ装置であって、図２４に示すように、メモリ２５０１とＣＰＵ２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１００】
以上述べた実施の形態をまとめると、以下のようになる。
【０１０１】
一態様の情報処理システムは、端末と、情報処理装置とを有する。端末は、（Ａ）第１識別子によって特定される機器と無線通信によって接続する接続処理部を有する。情報処理装置は、（Ｂ）第１識別子に対応する上記機器の第２識別子を特定する特定部と、（Ｃ）第２識別子を端末へ送信する第１送信部とを有する。端末は、更に、（Ｄ）受信した第２識別子を表示する表示処理部を有する。
【０１０２】
このようにすれば、処理のための第１識別子に代えて第２識別子が示されるので、ユーザは、端末と接続された機器を認識し易くなる。
【０１０３】
更に、第１送信部は、機器の第１識別子を端末へ送信し、接続処理部は、受信した第１識別子を用いるようにしてもよい。
【０１０４】
このようにすれば、情報処理装置が、端末に接続機器を指示できる。
【０１０５】
端末は、更に、（Ｅ）端末自身に近接する機器を検出する検出部と、（Ｆ）複数の機器を検出した場合に、当該複数の機器の第１識別子を情報処理装置へ送信する第２送信部とを有してもよい。情報処理装置は、更に、（Ｇ）受信した複数の機器の第１識別子のうち、端末が接続すべき機器の第１識別子を選択する選択部を有してもよい。そして、第１送信部は、選択された第１識別子を上記機器の第１識別子として送信するようにしてもよい。
【０１０６】
このようにすれば、端末と直ぐに接続される機器を決められる。
【０１０７】
更に、選択部は、他の端末と接続していない機器の第１識別子を選択するようにしてもよい。
【０１０８】
このようにすれば、端末と機器との接続失敗を防げる。
【０１０９】
端末は、更に、（Ｈ）接続した機器の第１識別子を情報処理装置へ送信する第２送信部を有してもよい。そして、特定部は、受信した第１識別子を用いるようにしてもよい。
【０１１０】
このようにすれば、ユーザは、現に接続された機器を認識できる。
【０１１１】
端末は、更に、（Ｉ）端末自身に近接する機器を検出する検出部と、（Ｊ）検出された機器の第１識別子を情報処理装置へ送信する第２送信部とを有してもよい。情報処理装置は、更に、受信した第１識別子が未知である場合に、検出された機器に割り当てられた第２識別子を第１識別子と対応付けて機器管理データに登録する登録部を有してもよい。
【０１１２】
このようにすれば、新規の機器に関する登録操作が簡単になる。
【０１１３】
端末は、更に、（Ｋ）検出された機器に、ユーザによる個体認識を促すための出力動作を指示する指示部を有してもよい。
【０１１４】
このようにすれば、ユーザは、登録対象の機器を認識し易くなる。
【０１１５】
更に、第２識別子は、運用のための識別子であってもよい。
【０１１６】
このようにすれば、ユーザの認識に資する。
【０１１７】
なお、上で述べた情報処理装置における処理及び端末における処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１１８】
以上の実施例を含む実施形態に関し、さらに以下の付記を開示する。
【０１１９】
（付記１）
端末と、情報処理装置とを有し、
前記端末は、
第１識別子によって特定される機器と無線通信によって接続する接続処理部
を有し、
前記情報処理装置は、
前記第１識別子に対応する前記機器の第２識別子を特定する特定部と、
前記第２識別子を前記端末へ送信する第１送信部と
を有し、
前記端末は、更に、
受信した前記第２識別子を表示する表示処理部
を有する情報処理システム。
【０１２０】
（付記２）
前記第１送信部は、機器の第１識別子を前記端末へ送信し、
前記接続処理部は、受信した前記第１識別子を用いる
付記１記載の情報処理システム。
【０１２１】
（付記３）
前記端末は、更に、
前記端末自身に近接する機器を検出する検出部と、
複数の機器を検出した場合に、当該複数の機器の第１識別子を前記情報処理装置へ送信する第２送信部と
を有し、
前記情報処理装置は、更に、
受信した前記複数の機器の前記第１識別子のうち、前記端末が接続すべき機器の第１識別子を選択する選択部
を有し、
前記第１送信部は、選択された前記第１識別子を前記機器の第１識別子として送信する
付記２記載の情報処理システム。
【０１２２】
（付記４）
前記選択部は、他の端末と接続していない機器の第１識別子を選択する
付記３記載の情報処理システム。
【０１２３】
（付記５）
前記端末は、更に、
接続した前記機器の前記第１識別子を前記情報処理装置へ送信する第２送信部
を有し、
前記特定部は、受信した前記第１識別子を用いる
付記１又は２記載の情報処理システム。
【０１２４】
（付記６）
前記端末は、更に、
前記端末自身に近接する機器を検出する検出部と、
検出された前記機器の第１識別子を前記情報処理装置へ送信する第２送信部と
を有し、
前記情報処理装置は、更に、
受信した前記第１識別子が未知である場合に、検出された前記機器に割り当てられた第２識別子を前記第１識別子と対応付けて機器管理データに登録する登録部
を有する付記１又は２記載の情報処理システム。
【０１２５】
（付記７）
前記端末は、更に、
検出された前記機器に、ユーザによる個体認識を促すための出力動作を指示する指示部
を有する付記６記載の情報処理システム。
【０１２６】
（付記８）
前記第２識別子は、運用のための識別子である
付記１乃至７のいずれか１つ記載の情報処理システム。
【０１２７】
（付記９）
端末が接続する機器の第１識別子に対応する当該機器の第２識別子を特定する特定部と、
前記第２識別子を前記端末へ送信する送信部と
を有する情報処理装置。
【０１２８】
（付記１０）
端末が接続する機器の第１識別子に対応する当該機器の第２識別子を特定し、
前記第２識別子を前記端末へ送信する
処理を含み、コンピュータにより実行される情報処理方法。
【０１２９】
（付記１１）
端末が接続する機器の第１識別子に対応する当該機器の第２識別子を特定し、
前記第２識別子を前記端末へ送信する
処理をコンピュータに実行させる情報処理プログラム。
【０１３０】
（付記１２）
第１識別子によって特定される機器と無線通信によって接続する接続処理部と、
前記第１識別子に対応する前記機器の第２識別子を受信する受信部と、
受信した前記機器の第２識別子を表示する表示処理部と
を有する端末。
【０１３１】
（付記１３）
第１識別子によって特定される機器と無線通信によって接続し、
前記第１識別子に対応する前記機器の第２識別子を受信し、
受信した前記機器の第２識別子を表示する
処理を含み、コンピュータにより実行される情報処理方法。
【０１３２】
（付記１４）
第１識別子によって特定される機器と無線通信によって接続し、
前記第１識別子に対応する前記機器の第２識別子を受信し、
受信した前記機器の第２識別子を表示する
処理をコンピュータに実行させる情報処理プログラム。
【符号の説明】
【０１３３】
１０１  タブレット端末    １０３  電子体温計
１０５  サーバ    １０７  プリンタ
３０１  プロセッサ    ３０３  メモリ
３０５  表示装置    ３０７  ボタン
３０９  無線通信制御回路    ３１１  無線通信用アンテナ
３１３  温度センサ    ３１５  ＬＥＤ
４０１  ＣＰＵ    ４０３  記憶回路
４０５  ＲＯＭ    ４０７  ＲＡＭ
４０９  フラッシュメモリ    ４１１  第１無線通信用アンテナ
４１３  第１無線通信制御回路    ４１５  第２無線通信用アンテナ
４１７  第２無線通信制御回路    ４２３  ＬＣＤ制御回路
４２５  ＬＣＤ    ４２７  タッチセンサ
４２９  キー群    ４３１  ＧＰＳ装置
４３３  タイマー回路    ５０１  第１受信部
５０３  第１送信部    ５０５  第２受信部
５０７  第２送信部    ５０９  表示処理部
５１１  検出部    ５１３  接続処理部
５１５  判定部    ５１７  指示部
５１９  受付部    ６０１  受信部
６０３  送信部    ６０５  判定部
６０７  割り当て部    ６０９  登録部
６１１  指示部    ６１３  特定部
６１５  選択部    ６１７  更新部
６１９  テーブル記憶部
【図１】
2018063634.tif 000003
【図２】
2018063634.tif 000004
【図３】
2018063634.tif 000005
【図４】
2018063634.tif 000006
【図５】
2018063634.tif 000007
【図６】
2018063634.tif 000008
【図７】
2018063634.tif 000009
【図８】
2018063634.tif 000010
【図９】
2018063634.tif 000011
【図１０】
2018063634.tif 000012
【図１１】
2018063634.tif 000013
【図１２】
2018063634.tif 000014
【図１３】
2018063634.tif 000015
【図１４】
2018063634.tif 000016
【図１５】
2018063634.tif 000017
【図１６】
2018063634.tif 000018
【図１７】
2018063634.tif 000019
【図１８】
2018063634.tif 000020
【図１９】
2018063634.tif 000021
【図２０】
2018063634.tif 000022
【図２１】
2018063634.tif 000023
【図２２】
2018063634.tif 000024
【図２３】
2018063634.tif 000025
【図２４】
2018063634.tif 000026